(57)【特許請求の範囲】
【請求項１】
走査光学系に対向して装着可能であり、原稿が接触する一面に導電処理が施されたコンタクトガラスを備えた画像読取装置において、
前記コンタクトガラス端部に装着される断面略コの字型の可撓性金属部材からなる接地部材を設け、
前記接地部材は、底板と、前記底板の両端部から突出し、前記コンタクトガラスの一面および他面を挟持するとともに、自由状態で突出方向先端部の隙間が前記コンタクトガラスの板厚よりも小さく形成された一対の側板とからなり、前記一対の側板のうち、前記コンタクトガラスの一面に当接する側板の幅方向の少なくとも一方にテーパを形成し、
前記コンタクトガラスは、前記接地部材を介して金属フレームの支持部に取付けられることを特徴とする画像読取装置。
【請求項２】
前記接地部材は、前記導電処理が施されたコンタクトガラスの一面に当接する側板に対して、コンタクトガラスの他面に当接する側板の突出方向長さが長いことを特徴とする請求項１記載の画像読取装置。
【発明の詳細な説明】
【０００１】
【発明の属する技術分野】
本発明は、複写機、ファクシミリ装置、スキャナー装置等の画像読取装置に関し、詳しくは、コンタクトガラスの原稿接触面に発生する静電気を除電する機能を有する画像読取装置に関する。
【０００２】
【従来の技術】
複写機、ファクシミリ装置、スキャナー装置等の画像読取装置には、原稿を読取るための走査光学系を備えており、この走査光学系の上方に設けられた透明なコンタクトガラスに原稿を載置して、走査光学系をコンタクトガラスの下方で移動させて原稿面を走査することにより、原稿の読み取りを行なったり、シートスルータイプの原稿搬送装置を備えたものでは、原稿をコンタクトガラス上で搬送しながら、走査光学系をコンタクトガラスの下方で停止させて原稿を移動させながら原稿の読み取りを行なうようになっている。
【０００３】
何れの読み取り方式にあっても、コンタクトガラスに原稿が接触するため、原稿とコンタクトガラスの摩擦によって静電気が発生することから、コンタクトガラスの原稿接触面側に導電処理を施し、その面から画像読取装置の金属フレームにアースをすることにより、静電気がコンタクトガラスに帯電するのを防止するようにしている。特に、シートスルータイプの原稿搬送装置を備えた画像読取装置にあっては、原稿がコンタクトガラス上で搬送されて、原稿とコンタクトガラスが激しく摩擦するため、静電気が蓄積するのを確実に防止する必要がある。
【０００４】
従来のこの種の画像読取装置としては、例えば、特開平１０−３０７３４５号公報に記載されたようなものがある。このものは、原稿の接触面に導電処理が施されたコンタクトガラスと、このコンタクトガラスの端部に設けられ、原稿の端部を突き当てて原稿の読取位置を揃える原稿スケールと、原稿スケールの下面に両面テープ等で取付けられ、一端部がコンタクトガラスの導電処理面に接触するとともに、他端部が金属フレームに接触し、コンタクトガラスに帯電した静電気を金属フレーム側に落とすアース板とを備えている。
【０００５】
【発明が解決しようとする課題】
しかしながら、このような従来の画像読取装置にあっては、原稿スケールに両面テープによってアース板を取付けていたため、アース板の取付けが面倒である上に、原稿スケールが樹脂部材からなる場合には、アース板を取外した後に破損したりして原稿スケールのリサイクルを行なうことができなおそれがある。
【０００６】
また、アース板が原稿スケール側に取付けられていたため、導電処理が施されているコンタクトガラスと導電処理が施されていないコンタクトガラスを区別するのが困難であった。
【０００７】
一方、金属性の原稿スケールを用いればアース板が不要になるが、この場合には、原稿スケールの加工コストが高い上に、走査光学系の光源の熱によって原稿スケールが高温になってしまう。
【０００８】
また、板バネのようなアース板でコンタクトガラスを金属フレームにビス止め等によって固定することが考えられるが、このようにした場合には、コンタクトガラスの着脱性が悪化してしまい、メンテナンス時に余計な作業が発生してしまう。
【０００９】
そこで本発明は、接地部材をコンタクトガラスに簡単に脱着させることができるようにして、取付け作業を簡単に行なうことができるとともに、コンタクトガラスや接地部材の分別処理やリサイクルを簡単に行なうことができ、さらに、導電処理が施されたコンタクトガラスを簡単に視認することができる画像読取装置を提供することを目的としている。
【００１０】
【課題を解決するための手段】
本発明は、上記課題を解決するために、走査光学系に対向して装着可能であり、原稿が接触する一面に導電処理が施されたコンタクトガラスを備えた画像読取装置において、前記コンタクトガラス端部に装着される断面略コの字型の可撓性金属部材からなる接地部材を設け、前記接地部材は、底板と、前記底板の両端部から突出し、前記コンタクトガラスの一面および他面を挟持するとともに、自由状態で突出方向先端部の隙間が前記コンタクトガラスの板厚よりも小さく形成された一対の側板とからなり、前記一対の側板のうち、前記コンタクトガラスの一面に当接する側板の幅方向の少なくとも一方にテーパを形成し、前記コンタクトガラスは、前記接地部材を介して金属フレームの支持部に取付けられることを特徴としている。
【００１１】
その場合、接地部材は、可撓性金属部材からなり、自由状態で突出方向先端部の隙間がコンタクトガラスの板厚よりも小さく形成されているため、接地部材をコンタクトガラスの端部に簡単に取付けることができる。また、取付け後に接地部材をコンタクトガラスに密着させることができ、コンタクトガラスを接地部材を介して金属フレームに確実に接地させることができる。
【００１２】
これに加えて、接地部材が可撓性であるため、コンタクトガラスから簡単に取外すことができ、コンタクトガラスと接地部材を分別して廃棄する作業を簡単にすることができるとともに、リサイクル時の取り扱いを容易に行なうことができる。
【００１３】
また、コンタクトガラスが接地部材を介して金属フレームの支持部に取付けられるため、接地部材を緩衝材として機能させることができ、コンタクトガラスが金属フレームの支持部に直接取付けられたものに比べてコンタクトガラスが衝撃等によって破損するのを防止することができる。
【００１４】
さらに、画像読取装置にコンタクトガラスを組み込む前に、導電処理が施されたコンタクトガラスに接地部材を装着した状態にしておけば、導電処理が施されたコンタクトガラスと導電処理が施されていないコンタクトガラスを容易に区別することができる。
また、テーパが成形されていない側板をコンタクトガラスの角部に当接させ、この状態で接地部材を回動させると、テーパが形成されている側板がテーパに沿ってコンタクトガラスに取付けられるため、接地部材をコンタクトガラスにより一層簡単に取付けることができる。
【００１５】
また、本発明は、上記課題を解決するために、前記接地部材は、前記導電処理が施されたコンタクトガラスの一面に当接する側板に対して、コンタクトガラスの他面に当接する側板の突出方向長さが長いことを特徴としている。
【００１６】
その場合、接地部材をコンタクトガラスの端部に取付けるときに、長尺の側板をコンタクトガラスに端部にスライドさせるようにして接地部材を回転させることにより、接地部材をコンタクトガラスに簡単に取付けることができる。
【００１７】
また、長尺の側板がコンタクトガラスの他面に広い面積で密着するため、接地部材がコンタクトガラスから浮いてしまうことがなく、コンタクトガラスを金属フレームの支持部材に取付けたときに、コンタクトガラスの厚さ方向の精度が低下するのを防止することができる。
【００２０】
【発明の実施の形態】
以下、本発明の実施形態を図面に基づいて説明する。
【００２１】
図１〜４は本発明に係る画像読取装置の第１実施形態を示す図であり、画像読取装置として複写機、ファクシミリ装置、スキャナー装置等に適用することができる。
【００２２】
まず、構成を説明する。図１において、１は画像読取装置であり、この画像読取装置１の上面には第１コンタクトガラス２と第２コンタクトガラス３が設けられている。
【００２３】
この第１コンタクトガラス２と第２コンタクトガラス３の下方には走査光学系としての露光ランプ４ａ、ミラー４ｂ、４ｃ、４ｄ、レンズ４ｅおよびＣＣＤ４ｆが設けられている。
【００２４】
この露光ランプ４ａおよびミラー４ｂは、第２コンタクトガラス３に載置された原稿を読み取る際には、第２コンタクトガラス３の下方で図１中、左右方向に移動し、また、第１コンタクトガラス２上で原稿を読み取る際には、第１コンタクトガラス２の下方で停止するようになっており、露光ランプ４ａによって読み取られた画情報はミラー４ｂ、４ｃ、４ｄで反射された後、レンズ４ｅで集光されてＣＣＤ４に結像される。このＣＣＤ４によって読み込まれた画情報は光電変換された後、図示しない画像処理部によって画像処理が施された後、図示しないプリンタ部に出力される。
【００２５】
また、画像読取装置１の上部には自動原稿搬送装置（以下、単にＡＤＦという）６が装着されており、このＡＤＦ６の下面には第２コンタクトガラス３に載置された原稿を第２コンタクトガラス３に押圧するとともに原稿の読取時の白基準となる反射板７が設けられている。また、このＡＤＦ６は、図示しないヒンジを介して画像読取装置１に連結されており、画像読取装置１に対して開閉自在となっている。
【００２６】
また、ＡＤＦ６の上部には原稿載置台８が設けられており、この原稿載置台８には複数の原稿からなる原稿束Ｐが載置されるようになっている。この原稿載置台８に載置された原稿束Ｐはこの原稿束Ｐに当接・離隔可能な呼出しコロ９によって給紙された後、分離ベルト10および分離阻止コロ11によって最上位に位置する原稿が分離されるようになっている。
【００２７】
また、呼出しコロ９の原稿搬送方向下流にはストッパー部材12が設けられており、原稿載置台８に載置された原稿束Ｐはストッパー部材12に衝止されて分離ベルト10側に進入することを禁止されている。
【００２８】
呼出しコロ９の下方には加圧板13が設けられており、この加圧板13は図示しないソレノイドによって呼出しコロ９に対して当接離隔するようになっている。すなわち、この加圧板13はコピースタートスイッチが押下されると、ソレノイドによって実線で示す呼出しコロ９に対して離隔する位置から仮想線で示す呼出しコロ９に当接する位置に移動して、原稿を呼出しコロ９に加圧して呼出しコロ９によって原稿を給紙させるようになっている。
【００２９】
また、分離ベルト10および分離阻止コロ11によって分離された原稿は駆動側である搬送駆動コロ14ａおよび搬送従動コロ14ｂによって反転経路15に沿って反転されて第１コンタクトガラス２に向かって搬送されるようになっている。また、第１コンタクトガラス２の上部には読み取り時の白基準を構成する反射ガイド板16が設けられており、原稿は第１コンタクトガラス２と反射ガイド板16の間を通紙されながら露光ランプ４ａ等を備えた走査光学系によって読み取られる。
【００３０】
読み取りが終了した原稿は反転排紙ガイド17によって排紙経路18にすくい上げるようにして搬送されるようになっており、排紙経路18にすくい上げられた原稿は搬送駆動コロ19ａおよび搬送従動コロ19ｂに挟持されて搬送された後、排紙駆動コロ21ａおよび排紙従動コロ21ｂに挟持されて排紙経路18から外部に排紙され、除電ブラシ22によって除電された後、外装カバー23上に排紙される。
【００３１】
また、第２コンタクトガラス３上を覆う反射板７は加圧板24の下面に設けられており、この加圧板24は第２コンタクトガラス３上に載置された原稿をこの第２コンタクトガラス３に加圧するようになっている。
【００３２】
この加圧板24は回動支点25を介してメインフレーム26に回動自在に取付けられており、このメインフレーム26は排紙従動コロ21ｂの軸に端部が取付けられ、ＡＤＦ６本体に固定されている。
【００３３】
また、メインフレーム26は第２コンタクトガラス３を覆う面積を有しており、上面に外装カバー23が取付けられている。また、加圧板24はリンク機構であるリンク27を介して補助フレーム28に連結されており、この補助フレーム28はメインフレーム26の外周部を挟持するように断面略コの字状に形成され、支点29を介してメインフレーム26に回動自在に連結されている。
【００３４】
また、メインフレーム26にはマグネット30が設けられており、このマグネット30は補助フレーム28を吸引している。
【００３５】
一方、図２に示すように原稿が接触する側の第１コンタクトガラス２と第３コンタクトガラスの上面（一面）には導電被膜２ａが施されており（第１コンタクトガラス２のみを図示するが、第２コンタクトガラス３も同様の構成であるため、図示省略する）、この第１コンタクトガラス２は接地部材31を介して画像読取装置１の金属フレーム32の支持部32ａに取付けられている。なお、第２コンタクトガラス３も接地部材31を介して画像読取装置１の金属フレーム32の支持部32ａに取付けられているが、この構成も第１コンタクトガラス２と同様であるため、図示を省略する。
【００３６】
この接地部材31はステンレス、リン青銅等の薄いバネ性を有する可撓性金属部材から構成されており、断面略コの字状に形成されている。具体的には、図３に示すように、接地部材31は底板31ａと、底板31ａの両端部から突出し、第１コンタクトガラス２の上面および下面（他面）に当接するとともに、自由状態で突出方向先端部の隙間ｂが第１コンタクトガラス２の板厚よりも小さく形成された一対の側板31ｂ、31ｃとから構成されている。また、側板31ｂ、31ｃの突出基端部の隙間ａは上述した隙間よりも大きく形成されている。
【００３７】
本実施形態では、接地部材31を可撓性金属部材から構成し、自由状態で突出方向先端部の隙間ｂを第１コンタクトガラス２の板厚よりも小さく形成したため、接地部材31を第１コンタクトガラス２の端部に簡単に取付けることができる。また、取付け後に接地部材31を第１コンタクトガラス２に密着させることができ、第１コンタクトガラス２を接地部材31を介して金属フレーム32に確実に接地させることができる。このため、第１コンタクトガラス２に静電気が帯電するのを防止することができる。
【００３８】
これに加えて、接地部材31が可撓性であるため、第１コンタクトガラス２から簡単に取外すことができ、第１コンタクトガラス２と接地部材31を分別して廃棄する作業を簡単にすることができるとともに、リサイクル時の取り扱いを容易に行なうことができる。
【００３９】
また、第１コンタクトガラス２を接地部材31を介して金属フレーム32の支持部32ａに取付けたため、接地部材31を緩衝材として機能させることができ、第１コンタクトガラス２が支持部32ａに直接取付けられたものに比べて第１コンタクトガラス２が衝撃等によって破損するのを防止することができる。
【００４０】
具体的には、コンタクトガラスに比べて金属フレームの平面度は悪く、金属フレームの支持部に突起等があると、コンタクトガラスに衝撃が加わった場合（原稿を載置したときや、画像読取装置１の上面にＡＤＦ６を閉じたとき等）、この突起がコンタクトガラスに接触してコンタクトガラスが破損するおそれがある。
【００４１】
このため、接地部材31を緩衝材として機能させることにより、第１コンタクトガラス２が破損するのを防止することができる。
【００４２】
因みに、第１コンタクトガラス２の緩衝材としては、ゴムや樹脂等のスペーサを第１コンタクトガラス２と金属フレーム32の間に介装すれば良いが、この場合はコストが高くなる。本実施形態では、接地部材を緩衝材を兼用することができるので、ゴムや樹脂等の単なるスペーサを設けたものに比べてコストの点および静電気の除去を行なうことができる点で有利である。
【００４３】
さらに、画像読取装置１に第１コンタクトガラス２を組み込む前に、導電処理が施された第１コンタクトガラス２に接地部材31を装着した状態にしておけば、導電処理が施されたコンタクトガラスと導電処理が施されていないコンタクトガラスを容易に区別することができる。
【００４４】
なお、本実施形態では、金属フレーム31が平坦になっているが、図４に示すように、金属フレーム41の支持部41ａに段差を設け、詳細図示しないが、支持部41を第１コンタクトガラス２の四隅に対応する金属フレーム41部分に設けても良い。
【００４５】
このようにすれば、金属フレーム41全体の平面度が悪くても、第１コンタクトガラス２を金属フレーム41の４隅だけで支持することができるため、第１コンタクトガラス２を金属フレーム41に高精度で取付けることができる。
【００４６】
図５、６は本発明に係る画像読取装置の第２実施形態を示す図である。なお、本実施形態では、接地部材の構成が第１実施形態と異なるのみであり、第１実施形態と異なる部分のみを説明する。
【００４７】
本実施形態では、図５に示すように、接地部材51は、底板51ａと、底板51ａの両端部から突出し、第１コンタクトガラス２の上面および下面に当接するとともに、自由状態で突出方向先端部が第１コンタクトガラス２の板厚よりも小さく形成された一対の側板51ｂ、51ｃとから構成されており、導電被膜２ａが施された第１コンタクトガラス２の上面に当接する側板51ｂに対して、第１コンタクトガラス２の他面に当接する側板51ｃの延在方向長さが長くなっている。
【００４８】
このため、接地部材51を第１コンタクトガラス２の端部に取付けるときに、図６に示すように長尺の側板51ｃを第１コンタクトガラス２に端部にスライドさせるようにして接地部材31を回転させることにより、接地部材31を第１コンタクトガラス２に簡単に取付けることができる。
【００４９】
また、長尺の側板51ｃが第１コンタクトガラス２の下面に広い面積で密着するため、接地部材51がコンタクトガラスから浮いてしまうことがなく、第１コンタクトガラス２を金属フレーム32の支持部材32ａに取付けたときに、第１コンタクトガラス２の厚さ方向の精度が低下するのを防止することができる。
【００５０】
図７、８は本発明に係る画像読取装置の第３実施形態を示す図であり、第１実施形態と異なる部分のみを説明する。
【００５１】
図７において、接地部材61は、底板62と、底板62の両端部から突出し、第１コンタクトガラス２の上面および下面に当接するとともに、自由状態で突出方向先端部の第１コンタクトガラス２の板厚よりも小さく形成された一対の側板63、64とから構成されており、導電被膜２ａが施された第１コンタクトガラス２の上面に当接する側板63の幅方向の両端部にテーパ63ａ、63ｂが形成されている。なお、テーパは側板63の幅方向一端部だけに形成されていても良い。
【００５２】
このようにすれば、図８に示すように側板64を第１コンタクトガラス２の角部に当接させ、この状態で接地部材61を回動させると、テーパ63ａ、63ａが形成されている側板63がテーパ63ａに沿って第１コンタクトガラス２に取付けられるため、接地部材61を第１コンタクトガラス２により一層簡単に取付けることができる。
【００５３】
なお、第２、３実施形態の接地部材51、61は第２コンタクトガラス３にも適用されているのは勿論である。
【００５４】
【発明の効果】
本発明によれば、接地部材を、可撓性金属部材から構成し、自由状態で突出方向先端部の隙間をコンタクトガラスの板厚よりも小さく形成したため、接地部材をコンタクトガラスの端部に簡単に取付けることができる。また、取付け後に接地部材をコンタクトガラスに密着させることができ、コンタクトガラスを接地部材を介して金属フレームに確実に接地させることができる。
【００５５】
これに加えて、接地部材が可撓性であるため、コンタクトガラスから簡単に取外すことができ、コンタクトガラスと接地部材を分別して廃棄する作業を簡単にすることができるとともに、リサイクル時の取り扱いを容易に行なうことができる。
【００５６】
また、コンタクトガラスが接地部材を介して金属フレームの支持部に取付けられるため、接地部材を緩衝材として機能させることができ、コンタクトガラスが金属フレームの支持部に直接取付けられたものに比べてコンタクトガラスが衝撃等によって破損するのを防止することができる。
【００５７】
さらに、画像読取装置にコンタクトガラスを組み込む前に、導電処理が施されたコンタクトガラスに接地部材を装着した状態にしておけば、導電処理が施されたコンタクトガラスと導電処理が施されていないコンタクトガラスを容易に区別することができる。
【００５８】
また、本発明によれば、導電処理が施されたコンタクトガラスの一面に当接する側板に対して、コンタクトガラスの他面に当接する側板の延在方向長さを長くしたため、接地部材をコンタクトガラスの端部に取付けるときに、長尺の側板をコンタクトガラスに端部にスライドさせるようにして接地部材を回転させることにより、接地部材をコンタクトガラスに簡単に取付けることができる。
【００５９】
また、長尺の側板がコンタクトガラスの他面に広い面積で密着するため、接地部材がコンタクトガラスから浮いてしまうことがなく、コンタクトガラスを金属フレームの支持部材に取付けたときに、コンタクトガラスの厚さ方向の精度が低下するのを防止することができる。
【００６０】
また、本発明によれば、コンタクトガラスの一面に当接する側板の幅方向の少なくとも一方にテーパを形成したため、テーパが成形されていない側板をコンタクトガラスの角部に当接させ、この状態で接地部材を回動させると、テーパが形成されている側板をテーパに沿ってコンタクトガラスに取付けることができ、接地部材をコンタクトガラスにより一層簡単に取付けることができる。
【図面の簡単な説明】
【図１】本発明に係る画像読取装置の第１実施形態を示す図であり、画像読取装置の要部を示す図である。
【図２】第１実施形態の第１コンタクトガラスを接地部材を介して金属フレームに取付けた状態を示す図である。
【図３】（ａ）は第１実施形態の接地部材の斜視図、（ｂ）は接地部材の側面図である。
【図４】第１実施形態の第１コンタクトガラスを接地部材を介して他の形状の金属フレームに取付けた状態を示す図である。
【図５】本発明に係る画像読取装置の第２実施形態を示す図であり、（ａ）は接地部材の斜視図、（ｂ）は接地部材を第１コンタクトガラスに取付けた状態を示す図である。
【図６】第２実施形態の接地部材をコンタクトガラスに取付ける様子を示す図である。
【図７】本発明に係る画像読取装置の第３実施形態を示す図であり、（ａ）は接地部材の斜視図、（ｂ）は接地部材の側面図である。
【図８】第３実施形態の接地部材をコンタクトガラスに取付ける様子を示す図である。
【符号の説明】
１    画像読取装置
２    第１コンタクトガラス（コンタクトガラス）
２ａ    導電被膜
３    第２コンタクトガラス（コンタクトガラス）
４ａ    露光ランプ（走査光学系）
４ｂ、４ｃ、４ｄ    ミラー
４ｅ    レンズ（走査光学系）
４ｆ    ＣＣＤ（走査光学系）
31、51、61    接地部材
31ａ  51ａ、62    底板
31ｂ、31ｃ、51ｂ、51ｃ、63、64    側板
32、41    金属フレーム
32ａ、41ａ    支持部
63ａ、63ｂ    テーパ
【図１】
0003816411.tif 000002
【図２】
0003816411.tif 000003
【図３】
0003816411.tif 000004
【図４】
0003816411.tif 000005
【図５】
0003816411.tif 000006
【図６】
0003816411.tif 000007
【図７】
0003816411.tif 000008
【図８】
0003816411.tif 000009